(57)【要約】      （修正有）【課題】見映えが良く耐荷重性に優れた排水用溝蓋を提供する。【解決手段】本考案の排水用溝蓋１は、排水のために互いに間隔をあけて並べられた複数のバー１０と、複数のバー１０を連結する連結部材２０とを備えており、複数のバー１０は、人工大理石からなることを特徴とする。人工大理石は、樹脂材料のみにより形成されたものであってもよいし、樹脂材料と天然石とを混合した混合材料により形成されたものでもよい。【選択図】図１
0003203358.tif 000002
【実用新案登録請求の範囲】
【請求項１】
排水のために互いに間隔をあけて並べられた複数のバーと、
前記複数のバーを連結する連結部材とを備えた排水用溝蓋であって、
前記複数のバーは、人工大理石からなる
ことを特徴とする排水用溝蓋。
【請求項２】
前記複数のバーは、表面および裏面を有し、
少なくとも前記表面は、前記複数のバーが有する他の面に比べて粗く形成されている
ことを特徴とする請求項１に記載の排水用溝蓋。
【請求項３】
前記表面は、前記裏面に比べて粗く形成されている
ことを特徴とする請求項２に記載の排水用溝蓋。
【請求項４】
前記複数のバーを構成する人工大理石は、抗菌剤を含んでいる
ことを特徴とする請求項１〜３のいずれか一項に記載の排水用溝蓋。
【請求項５】
前記連結部材の外周を覆ったスリーブをさらに備え、
前記スリーブは、人工大理石からなる
ことを特徴とする請求項１〜４のいずれか一項に記載の排水用溝蓋。
【請求項６】
前記スリーブを構成する人工大理石は、抗菌剤を含んでいる
ことを特徴とする請求項５に記載の排水用溝蓋。
【考案の詳細な説明】
【技術分野】
【０００１】
本考案は、例えば入浴施設や水泳施設で使用される排水用溝蓋に関するものである。
【背景技術】
【０００２】
排水用溝蓋として、排水のために互いに間隔をあけて設けられた複数のバーを備えるグレーチングが一般的に知られており、複数のバーは、軽量化と低コスト化を図るために、塩化ビニル樹脂等で形成されたものが一般的に知られている（例えば特許文献１参照）。
【先行技術文献】
【特許文献】
【０００３】
【特許文献１】実公昭５７−４６４７８号公報
【考案の概要】
【考案が解決しようとする課題】
【０００４】
しかしながら、従来の排水用溝蓋は、バーが安価な樹脂材料からなることが見て取れることによって見映えが悪いという不都合があった。また、排水用溝蓋としては、その上に人が乗っても割れないように耐荷重性に優れたものが求められている。
【０００５】
本考案は、上記事情に鑑みてなされたものであって、見映えが良く耐荷重性に優れた排水用溝蓋を提供することを課題とする。
【課題を解決するための手段】
【０００６】
上記課題を解決するため、請求項１に記載の排水用溝蓋は、排水のために互いに間隔をあけて並べられた複数のバーと、前記複数のバーを連結する連結部材とを備えた排水用溝蓋であって、前記複数のバーは、人工大理石からなることを特徴とする。なお、本考案における「人工大理石」は、樹脂材料のみにより形成されたものであってもよいし、樹脂材料と天然石とを混合した混合材料により形成されたものでもよい。
【０００７】
また、請求項２に記載の排水用溝蓋は、請求項１に記載の排水用溝蓋において、前記複数のバーは、表面および裏面を有し、少なくとも前記表面は、前記複数のバーが有する他の面に比べて粗く形成されていることを特徴とする。
【０００８】
また、請求項３に記載の排水用溝蓋は、請求項２に記載の排水用溝蓋において、前記表面は、前記裏面に比べて粗く形成されていることを特徴とする。
【０００９】
また、請求項４に記載の排水用溝蓋は、請求項１〜３のいずれか一項に記載の排水用溝蓋において、前記複数のバーを構成する人工大理石は、抗菌剤を含んでいることを特徴とする。
【００１０】
また、請求項５に記載の排水用溝蓋は、請求項１〜４のいずれか一項に記載の排水用溝蓋において、前記連結部材の外周を覆うスリーブをさらに備え、前記スリーブは、人工大理石からなることを特徴とする。
【００１１】
また、請求項６に記載の排水用溝蓋は、請求項５に記載の排水用溝蓋において、前記スリーブを構成する人工大理石は、抗菌剤を含んでいることを特徴とする。
【考案の効果】
【００１２】
本考案によれば、見映えが良く耐荷重性に優れた排水用溝蓋を提供することができる。
【図面の簡単な説明】
【００１３】
【図１】本考案の第１実施形態に係る排水用溝蓋の図であって、（Ａ）は平面図であり、（Ｂ）および（Ｃ）は側面図である。
【図２】同実施形態に係る排水用溝蓋の写真である。
【図３】本考案の第２実施形態に係る排水用溝蓋の図であって、（Ａ）は平面図であり、（Ｂ）および（Ｃ）は側面図である。
【考案を実施するための形態】
【００１４】
（第１実施形態）
図１および図２を参照しながら、本考案に係る排水用溝蓋の第１実施形態を説明する。なお、図中の矢印で示すＸ方向、Ｙ方向、およびＺ方向は、互いに直交する方向である。
【００１５】
図１は、直交する三方向から見たときの排水用溝蓋１（以下、「溝蓋１」という）の図である。図１（Ｂ）は、図１（Ａ）のＸ方向から溝蓋１を見た状態を示しており、図１（Ｃ）は、図１（Ａ）のＹ方向から溝蓋１を見た状態を示している。
【００１６】
図１に示すように、溝蓋１は、複数のバー１０と、連結部材２０と、スリーブ３０Ａ，３０Ｂとを備えたグレーチングである。溝蓋１は、入浴施設や水泳施設等に設けられる排水溝（図示略）の上に配置される。
【００１７】
複数のバー１０は、排水のためにＹ方向に互いに間隔をあけて等間隔に並べられている。各バー１０は、Ｘ方向に延びる直方体形状に形成されている。Ｘ方向における各バー１０の両端部には、連結部材２０が設けられている。各バー１０は、アクリル樹脂により形成された人工大理石からなる。人工大理石は、樹脂材料により天然石に似せて形成されたものである。人工大理石には抗菌剤が含まれている。
【００１８】
また、複数のバー１０は、当該バー１０が並ぶ方向に延びる表面１１および裏面１２を有している。溝蓋１の使用時において、表面１１が上方を向くように溝蓋１が配置される。表面１１は、裏面１２に比べて粗く形成されている。表面１１の形成方法としては、例えば、バー１０を構成する人工大理石に対して粒子を吹きつけるサンドブラスト加工を採用することができる。
【００１９】
連結部材２０は、バー１０およびスリーブ３０Ａ，３０Ｂを貫通しており、バー１０を連結している。連結部材２０は、ＥＰＭ（エチレンプロピレンゴム）等の樹脂材料により形成された可撓性を有する棒状のゴムレールからなる。連結部材２０が撓むことによって、溝蓋１はＸ方向に屈曲した形状を有することができる。
【００２０】
スリーブ３０Ａ，３０Ｂは、連結部材２０の外周を覆っている。スリーブ３０Ａ，３０Ｂは、バー１０と同じ人工大理石からなる。スリーブ３０Ａは、各バー１０の間に設けられており、他のスリーブ３０Ｂは、連結部材２０の両端部に設けられている。スリーブ３０Ａは、各バー１０の間隔を維持する。スリーブ３０Ｂは、ねじ４１により連結部材２０に対して止められており、連結部材２０からバー１０が抜けることを防いでいる。
【００２１】
図２は、溝蓋１を斜め方向から撮影したグレースケール写真である。
図２に示すように、バー１０は、溝蓋１の全体の見映えに強い影響を与えている。人工大理石からなるバー１０は、天然石を切り出して形成されたような外観を有しており、濃い目の灰色を下地として白色の斑点が無作為に配されている模様を有する。
【００２２】
本実施形態では以下の効果が得られる。
（１）複数のバー１０が人工大理石からなるため、天然石を切り出して形成されたように見て取れるため、溝蓋１の見映えが良い。また、見映えが良いだけでなく、耐荷重性にも優れた溝蓋１を実現することができる。
【００２３】
（２）表面１１は、裏面１２に比べて粗く形成されているため、表面１１が上方を向くように溝蓋１を配置することで、溝蓋１上で人が滑ることを防ぐことができる。
【００２４】
（３）スリーブ３０Ａ，３０Ｂは人工大理石からなるため、バー１０のみが人工大理石からなる構成に比べて、溝蓋１の見映えをさらに良くすることができる。
【００２５】
（４）バー１０およびスリーブ３０Ａ，３０Ｂを構成する人工大理石は抗菌剤を含んでいるため、水に含まれる有機物を栄養にして増殖する細菌の増殖を抑制できる。
【００２６】
（第２実施形態）
図３を参照しながら、本考案に係る排水用溝蓋の第２実施形態を説明する。なお、本実施形態の説明について、第１実施形態と同様の構成の説明については省略し、第１実施形態との相違点を説明する。
【００２７】
図３に示すように、本実施形態の各バー１０は、Ｘ方向から見てＴ字形状に形成されている。このため、バー１０の表面１１の面積は、バー１０の裏面１２の面積に比べて大きく、各バー１０の表面１１側の間隔Ｄ１は、各バー１０の裏面１２側の間隔Ｄ２に比べて狭い。
【００２８】
本実施形態では上記（１）〜（４）の効果に加えて以下の効果が得られる。
（５）各バー１０の表面１１側の間隔Ｄ１は、各バー１０の裏面１２側の間隔Ｄ２に比べて狭いため、表面１１側から溝蓋１を見たときにスリーブ３０Ａ，３０Ｂが目立たないようにすることができる。
【００２９】
本考案は、上記実施形態に限定されるものではなく、上記実施形態の構成を適宜変更することもできる。例えば、上記構成を以下のように変更して実施することもでき、以下の変更を組み合わせることもできる。
【００３０】
表面１１および裏面１２の双方が、バー１０が有する他の面に比べて粗く形成されていてもよい。この構成によれば、表面１１および裏面１２のいずれを上方に向けても、溝蓋１上で人が滑ることを防ぐことができる。このため、溝蓋１を配置する際に、表面１１および裏面１２のどちらを上方に向けるべきか確認する必要がなくなる。
【００３１】
バー１０およびスリーブ３０Ａ，３０Ｂを構成する人工大理石の形成材料を変更してもよい。例えば、バー１０およびスリーブ３０Ａ，３０Ｂを構成する人工大理石は、ポリエステル樹脂により形成されたものでもよく、アクリル樹脂とポリエステル樹脂を混ぜて形成されたものでもよい。また、人工大理石は、樹脂材料と天然石とを混合した混合材料により形成されたものでもよい。また、人工大理石が抗菌剤を含んでいなくてもよい。
【００３２】
複数のバー１０のうち一部を人工大理石以外の材料により形成してもよい。例えば、バー１０を２つ以上の形成材料により形成し、バー１０の表面１１のみを人工大理石により形成してもよい。また、スリーブ３０Ａ，３０Ｂのうち一部または全てを人工大理石以外の材料により形成してもよい。
【００３３】
バー１０の形状および個数、連結部材２０の形状および個数および形成材料、並びに、スリーブ３０Ａ，３０Ｂの形状および個数を適宜変更してもよい。例えば、連結部材２０を硬質の樹脂材料により形成してもよい。
【符号の説明】
【００３４】
１  排水用溝蓋
１０  バー
１１  表面
１２  裏面
２０  連結部材
３０Ａ，３０Ｂ  スリーブ
４１  ねじ
【図１】
0003203358.tif 000003
【図３】
0003203358.tif 000004
【図２】
0003203358.tif 000005